(57)【要約】【課題】光源の変化に応じて適応的にフリッカ対策を行う。【解決手段】ライブビューモードにおいて、表示部に表示される映像にラインフリッカが発生しているか否かに関わらず光源の変化の検知が行われる。そして、光源の変化が検知されると、フリッカ検知動作を起動させ、表示部に表示される映像にラインフリッカが発生しているか否かを検知するようにしている。そのため、光源の変化に対して適応的にフリッカ消去モードを起動させることができる。【選択図】図７
2009213076.tif 000002
【特許請求の範囲】
【請求項１】
被写体からの光を画素ごとに電荷に変換して蓄積する撮像素子と、
前記撮像素子が蓄積した前記電荷を前記画素ごとに読み出し１画面の撮像信号として出力する読み出し手段と、
前記被写体に光を照射する光源の変化を検知する光源変化検知手段と、
前記撮像信号に含まれるフリッカを検知するフリッカ検知手段と、
前記撮像信号中の前記フリッカ検知手段により検知された前記フリッカを抑制するフリッカ抑制手段と、
前記光源変化検知手段により前記光源の変化が検知されたら、前記フリッカ検知手段による前記フリッカの検知を行い、前記フリッカ検知手段でフリッカが検知された場合に前記フリッカ抑制手段による抑制処理を行うように制御する制御手段と
を有する
ことを特徴とする撮像装置。
【請求項２】
前記光源の種類を検知する光源検知手段をさらに有し、
前記光源変化検知手段は、前記光源検知手段により検知された前記光源の種類が変化した場合に、前記光源の変化があったと検知する
ことを特徴とする請求項１に記載の撮像装置。
【請求項３】
前記撮像信号に対してホワイトバランスの補正を行うホワイトバランス処理手段をさらに有し、
前記光源変化検知手段は、前記ホワイトバランス処理手段による前記ホワイトバランスの補正量が所定量以上に変化した場合に、前記光源の変化があったと検知する
ことを特徴とする請求項１または請求項２に記載の撮像装置。
【請求項４】
前記被写体からの光の光量を測定する測定手段をさらに有し、
前記光源変化検知手段は、前記測定手段の測定結果に基づき、前記被写体からの光の光量が所定量以上に変化した場合に、前記光源の変化があったと検知する
ことを特徴とする請求項１乃至請求項３の何れか１項に記載の撮像装置。
【請求項５】
前記制御手段は、
前記測定手段による測定結果に基づき、前記光量が閾値以上であれば、前記光源変化検知手段の検知結果に関わらず前記フリッカ検知手段によるフリッカの検知を行わないように制御する
ことを特徴とする請求項４に記載の撮像装置。
【請求項６】
前記被写体からの光の光量を測定する測定手段をさらに有し、
前記制御手段は、
前記測定手段による測定結果に基づき、前記被写体からの光の光量が閾値以上であれば、前記光源変化検知手段の検知結果に関わらず前記フリッカ検知手段によるフリッカの検知を行わないように制御する
ことを特徴とする請求項１乃至請求項３の何れか１項に記載の撮像装置。
【請求項７】
被写体からの光を画素ごとに電荷に変換して蓄積する撮像素子が蓄積した該電荷を該画素ごとに読み出し１画面の撮像信号として出力する読み出しステップと、
前記被写体に光を照射する光源の変化を検知する光源変化検知ステップと、
前記撮像信号に含まれるフリッカを検知するフリッカ検知ステップと、
前記撮像信号中の前記フリッカ検知ステップにより検知された前記フリッカを抑制するフリッカ抑制ステップと、
前記光源変化検知ステップにより前記光源の変化が検知されたら、前記フリッカ検知ステップによる前記フリッカの検知を行い、前記フリッカ検知ステップでフリッカが検知された場合に前記フリッカ抑制ステップによる抑制処理を行うように制御する制御ステップと
を有する
ことを特徴とする撮像装置の制御方法。
【発明の詳細な説明】
【技術分野】
【０００１】
本発明は、撮像素子を用いて被写体を撮影する撮像装置およびその制御方法に関する。
【背景技術】
【０００２】
従来、撮像素子から所定の周期で読み出した撮像信号による画像信号を逐次、装置に設けられた液晶ディスプレイなどの表示装置に出力する、所謂ライブビューモードを有する撮像装置が普及している。ライブビューモードを用いることで、撮影者は、ファインダを覗き込むことなく、被写体像をリアルタイムに観察することができる。ライブビューモードは、動画像を主に撮影するデジタルビデオカメラのみならず、静止画像を主に撮影するデジタルカメラにも搭載されている。
【０００３】
ライブビューモードによる表示や記録を、商用電源の周波数に応じて点滅を繰り返す、蛍光灯などの光源下で行うと、記録画像やライブビューモードによる表示画像にフリッカが発生することがある。このフリッカは、撮像素子における電荷の蓄積時間と、撮像素子から電荷を読み出す際の周期によるフレーム周波数と、蛍光灯の発光周波数との関係により発生する。
【０００４】
蛍光灯照明下におけるフリッカの発生について、図１を用いて概略的に説明する。なお、図１において、蛍光灯は、チョークコイルを用いたタイプであるものとする。図１（ａ）は、商用電源の単相正弦波を示し、図１（ｂ）は、この商用電源で蛍光灯に印加される電圧の一例の時間変化を示す。図１（ｃ）は、図１（ｂ）のように電圧が印加された蛍光灯から発生する光量（輝度）の一例の時間変化を示す。この例では、蛍光灯は、商用電源の１周期に２回、発光するので、蛍光灯の発光周波数は、電源周波数の２倍となる。すなわち、電源周波数が５０Ｈｚの地域では蛍光灯の発光周波数は１００Ｈｚとなり、電源周波数が６０Ｈｚの地域では発光周波数が１２０Ｈｚとなる。
【０００５】
光量が周期的に変化する光源下では、撮像素子における電荷の蓄積時間ｔが一定であっても、電荷の蓄積動作の開始および終了のタイミングによって蓄積される電荷の量が異なり、露光量が異なってしまう。この様子を図１（ｄ）および図１（ｅ）に示す。露光量は光量を時間で積分した値となるので、露光時間ｔが一定でも、蛍光灯の光量が多い期間の露光量（面積Ｓ１）と、蛍光灯の光量が少ない期間の露光量（面積Ｓ２）とを比較すると、Ｓ１≠Ｓ２となり、等しい露光量が得られないことが分かる。
【０００６】
この、光量が周期的に変化する光源下における、電荷の蓄積動作の開始および終了のタイミングによる露光量の差が、記録画像やライブビューモードでの表示画像に対して、フリッカとなって現れる。
【０００７】
ところで、撮像素子としてＣＣＤ(Charge Coupled Device)を用いた撮像装置では、電荷の蓄積時間の開始、終了がそれぞれ全画素で同一タイミングであるグローバル電子シャッタを用いている。そのため、フレーム周波数と蛍光灯の発光周波数により、１画面全体がフリッカの影響を受ける面フリッカになる。面フリッカでは、１画面全体に補正をかければフリッカの影響を除去することができ、既に実用化もされている。
【０００８】
一方、近年では、１ライン毎に画素を順次リセットして電荷を蓄積し、その後１ライン毎に画素から順次電荷を読み出す、撮像素子（例えばＣＭＯＳイメージセンサ）を使った撮像装置が普及している。なお、ＣＭＯＳは、Complementary Metal-Oxide Semiconductorの略称である。
【０００９】
ＣＭＯＳイメージセンサでは、ローリング電子シャッタにより画面を１ライン毎に読み出していく。そのため、電荷の蓄積時間とフレーム周波数（１秒間当たりの画面数）と蛍光灯の発光周波数との関係から、撮像画面内に横縞状のラインフリッカが発生する場合がある。また、動画像のフレーム周波数によっては、ラインフリッカによる横縞が縦方向に移動するように見えるため、鑑賞時に著しく不快な画面になる。ラインフリッカでは、電荷の蓄積時間を蛍光灯の発光周期の整数倍の時間に設定してライン毎の露出量を揃えることで、フリッカの影響を除去することができる。
【００１０】
このように、従来から、映像信号中のフリッカ成分を抑制するための手法が知られている。しかしながら、面フリッカとラインフリッカの何れを除去するにしても、それぞれ専用の制御が必要になる。そのため、何らかのタイミングでフリッカの有無を検知し、この検知結果に応じてフリッカ対策の制御を行う方法が一般的である。なお、以下では、フリッカ対策の制御を行う動作モードをフリッカ消去モードと呼び、フリッカ対策の制御を行わない動作モードを通常モードと呼ぶ。
【００１１】
フリッカ検知を行うタイミングとしては、ライブビューモード開始直後の所定期間が従来から知られている。
【００１２】
また、特許文献１には、線形特性領域と、対数特性領域の光電変換特性を持ち、かつ非積分形の画素構成を有する撮像素子を用いたカメラにおいてフリッカ対策を行う技術が開示されている。特許文献１の記載によれば、このような撮像素子では、各光電変換特性領域でフリッカから受ける影響が異なるため、使用する光電変換特性が切り替わった場合は、所定期間内に再度フリッカ検知手段を駆動させる。
【特許文献１】特開２００６−１３５９３号公報
【発明の開示】
【発明が解決しようとする課題】
【００１３】
しかしながら、これら従来の構成においては、被写体が存在する環境の光源が変化することによるフリッカの有無の変化に対応できないという問題点があった。
【００１４】
例えば、日照がありフリッカの発生しない屋外でライブビューモードを起動させた後、そのまま蛍光灯照明下の屋内に移動した場合について考える。この場合、ライブビューモードを起動させた時点では屋外であったため、ライブビューモード開始直後にはフリッカが検知されず、フリッカ対策を行わない通常モードでライブビューが実行される。このままの状態で蛍光灯照明下である屋内に移動しても、ライブビューが通常モードで実行され続けるため、ライブビュー表示画像は、蛍光灯によるフリッカの影響を受けてしまうことになる。
【００１５】
また例えば、上述とは逆に、蛍光灯照明下の屋内でライブビューモードを起動させ、そのまま、フリッカの発生しない屋外に移動した場合について考える。この場合、ライブビューモードを起動させた時点では蛍光灯照明下の屋内であったため、フリッカが検知され、フリッカ対策を行うフリッカ消去モードでライブビューが実行される。このままの状態で屋外に移動した場合、フリッカ消去モードのままライブビューライブビューが実行され続けることになる。
【００１６】
フリッカ消去モードにおいては、例えばＣＭＯＳイメージセンサであれば、上述したように、電荷の蓄積時間が蛍光灯の発光周期の整数倍に制御される。そのため、電荷の蓄積時間すなわち露光時間を離散的にしか設定できない。したがって、適正露出を得るためには、光学的な絞り調整と、撮像素子のＩＳＯ感度の調整とを併用する必要がある。
【００１７】
このとき、絞りを絞った場合は、被写界深度が深くなるため、ライブビューによる表示画像で被写体のピントを確認することが難しくなる。また、絞り調整を行うために絞り機構を駆動すると、機械的な駆動音が発生してしまい、動画記録中においては、この絞り駆動音が記録動画と共に録音されてしまう。
【００１８】
さらに、フリッカの検出を常に行うようにし、その検知結果に応じて、ライブビューを通常モードで実行するか、フリッカ消去モードで実行するかを常時切り替えられるような構成にすることも考えられる。しかしながらこの場合、フリッカ検知のための演算処理が常に行われることになり、演算負荷が大きくなってしまうという問題点があった。
【００１９】
さらに、上述した特許文献１も、撮影環境でフリッカが検出された場合に、撮像素子の光電変換特性を変化させるようにしたものであって、光源の変化によるフリッカの有無の変化に対応してフリッカ対策の有無を制御するものではない。
【００２０】
したがって、この発明の目的は、光源の変化に応じて適応的にフリッカ対策を行うことが可能な撮像装置およびその制御方法を提供することにある。
【課題を解決するための手段】
【００２１】
本発明は、上述した課題を解決するために、被写体からの光を画素ごとに電荷に変換して蓄積する撮像素子と、撮像素子が蓄積した電荷を画素ごとに読み出し１画面の撮像信号として出力する読み出し手段と、被写体に光を照射する光源の変化を検知する光源変化検知手段と、撮像信号に含まれるフリッカを検知するフリッカ検知手段と、撮像信号中のフリッカ検知手段により検知されたフリッカを抑制するフリッカ抑制手段と、光源変化検知手段により光源の変化が検知されたら、フリッカ検知手段によるフリッカの検知を行い、フリッカ検知手段でフリッカが検知された場合にフリッカ抑制手段による抑制処理を行うように制御する制御手段とを有することを特徴とする撮像装置である。
【００２２】
また、本発明は、被写体からの光を画素ごとに電荷に変換して蓄積する撮像素子が蓄積した電荷を画素ごとに読み出し１画面の撮像信号として出力する読み出しステップと、被写体に光を照射する光源の変化を検知する光源変化検知ステップと、撮像信号に含まれるフリッカを検知するフリッカ検知ステップと、撮像信号中のフリッカ検知ステップにより検知されたフリッカを抑制するフリッカ抑制ステップと、光源変化検知ステップにより光源の変化が検知されたら、フリッカ検知ステップによるフリッカの検知を行い、フリッカ検知ステップでフリッカが検知された場合にフリッカ抑制ステップによる抑制処理を行うように制御する制御ステップとを有することを特徴とする撮像装置の制御方法である。
【発明の効果】
【００２３】
このような構成により、本発明によれば、光源の変化に応じて適応的にフリッカ対策を行うことができる。
【発明を実施するための最良の形態】
【００２４】
以下、この発明の実施形態を、図面を参照しながら説明する。図２は、本発明を適用可能なデジタル一眼レフレックスカメラ（以下、デジタルカメラと略称する）の一例の断面図を示す。なお、図２（ａ）は、デジタルカメラ１０１の通常状態での断面図であり、図２（ｂ）は、露光時やライブビュー時の状態すなわちライブビューモードでの断面図である。通常状態は、撮影光路を介して入射された光による被写体像を、光学ファインダで確認することができる状態である。
【００２５】
図２（ａ）において、デジタルカメラ１０１の前面に、撮影レンズ１０２が装着される。撮影レンズ１０２は交換可能とされ、デジタルカメラ１０１と撮影レンズ１０２は、マウント接点群１１２を介して電気的にも接続される。さらに、撮影レンズ１０２の中には、絞り１１３があり、デジタルカメラ１０１内に取り込む光量を調整できるようになっている。
【００２６】
ハーフミラーからなるメインミラー１０３は、ファインダ観察状態では撮影光路上に斜設され、撮影レンズ１０２からの撮影光束をファインダ光学系へと反射する一方、透過光は、サブミラー１０４を介してＡＦユニット１０５へと入射する。なお、ＡＦはAuto Focusの略称である。ＡＦユニット１０５は、位相差検出方式のＡＦセンサからなり、ピント位置にフォーカシングレンズを移動させるための処理を行う。ＡＦユニット１０５は、撮影レンズ１０２の二次結像面を焦点検出ラインセンサー上に形成することによって、撮影レンズ１０２の焦点調節状態を検出し、その検出結果に基づき図示されないフォーカシングレンズを駆動して自動焦点検出を行う。
【００２７】
光源検知手段としての光源検知ユニット１１６は、被写体の分光分布を検知する。ＡＦユニット１０５と撮像素子とでは、分光感度分布が異なる。そのため、撮影レンズ１０２が持つ軸上色収差によって、被写体の分光分布によってピント位置が異なる場合がある。例えば、より赤みがかった光の光源であるタングステン光による照明下と、より青みがかった光の光源である蛍光灯による照明下とでは、光源の分光分布に応じて被写体の分光分布も異なるため、ピント位置も異なってしまう可能性がある。光源検知ユニット１１６により光源の種類を検知し、検知結果に基づきＡＦユニット１０５で得られたピント位置を補正する。
【００２８】
自動焦点検出制御時は、光源検知ユニット１１６の出力と、撮影レンズ１０２内に設けられたＲＯＭ（図示しない）に記憶された軸上色収差情報とに基づき、ＡＦユニット１０５の出力から演算されたフォーカシングレンズ駆動量を補正する。光源検知ユニット１１６についての詳細は、後述する。
【００２９】
撮影レンズ１０２の光軸上に、メインミラー１０３およびサブミラー１０４を介してフォーカルプレーンシャッタ１０７（以下、シャッタ１０７）、ローパスフィルタ１０６および撮像素子１０８が配置される。
【００３０】
ファインダ光学系を構成する撮影レンズ１０２の予定結像面に、ピント板１０９が配置される。ペンタプリズム１１０は、撮影レンズ１０２から入射されメインミラー１０３に反射された光の光路をアイピース１１４に向けるように変更する。撮影者は、アイピース１１４からピント板１０９を観察することによって、撮影画面を確認することができる。ＡＥ(Auto Exposure)ユニット１１１は、露光量の自動計測を行うもので、測光を行う際に使用する。
【００３１】
ライブビュー開始／終了ボタン１１７は、ライブビューを行うライブビューモードのＯＮ／ＯＦＦを、操作される度に切り替える。ライブビューモード若しくは露光時には、図２（ｂ）に例示されるように、サブミラー１０４が撮影光路外に退避し、シャッタ１０７が開くことによって、撮影光束を撮像素子１０８に導く構成となる。
【００３２】
レリーズボタン１１５は、半押し、全押しの状態を持つ二段押し込み式のスイッチである。レリーズボタン１１５が半押しされる事によって、ＡＥ動作、ＡＦ動作などの撮影前の準備動作が行われる。そして、レリーズボタン１１５が全押しされる事によって、図２（ｂ）に例示される状態となり、撮影レンズ１０２を介して入射された被写体からの光で撮像素子１０８が露光されて、撮影処理が行われる。
【００３３】
ディスプレイユニット１１８がデジタルカメラ１０１の背面に取り付けられる。ディスプレイユニット１１８は、例えば液晶パネルによって構成され、撮影者が撮影した画像を直接的に確認できるようになっている。また、ライブビューモードにおいては、撮像素子１０８から出力された撮像信号による動画映像が逐次的に表示される。
【００３４】
図３は、光源検知ユニット１１６の一例の構成を示す。光源検知ユニット１１６は、第１の測光センサ３０１および第２の測光センサ３０２と、これら第１および第２の測光センサ３０１および３０２に入射する光を制限するフィルタ３０３および３０４からなる。フィルタ３０３は、第１および第２の測光センサ３０１および３０２に共通して設けられる。一方、フィルタ３０４は、第１および第２の測光センサ３０１および３０２のうち一方に設けられる。図３の例では、フィルタ３０４は、第２の測光センサ３０２に対して設けられる。すなわち、第２の測光センサ３０２には、光がフィルタ３０３および３０４を介して入射されることになる。
【００３５】
図４は、第１および第２の測光センサ３０１および３０２の一例の分光感度特性(i)と、フィルタ３０３および３０４の分光透過特性(ii)および(iii)の例を示す。図４において、横軸は波長であり、縦軸は、測光センサ３０１および３０２の場合、ピークの感度を１とした場合の相対的な感度を示す。また、フィルタ３０３および３０４の場合、縦軸は透過率を示す。第１および第２の測光センサ３０１および３０２は、波長が３００ｎｍ近傍からなだらかに感度が上昇し、波長が８００ｎｍ近傍を感度のピークとして、波長が８００ｎｍ以上で感度が減少する分光感度特性を有する。実用的には、波長が４００ｎｍ以上の帯域で用いられる。
【００３６】
フィルタ３０３は、図４に分光透過特性(ii)として例示するように、波長が７５０ｎｍ近傍以上の波長の光をカットする、ＩＲカットフィルタである。また、フィルタ３０４は、例えば第２の測光センサ３０２の前面にコーティングされて構成され、図４に分光透過特性(iii)として例示されるように、波長が６００ｎｍ近傍以下の波長の光をカットする。フィルタ３０３および３０４は、波長が６００ｎｍ近傍から波長が７５０ｎｍ近傍までの光を第２の測光センサ３０２に対して選択的に透過させる、バンドパスフィルタとして機能する。
【００３７】
光源検知ユニット１１６は、フィルタ３０３および３０４により入射光の分光特性がそれぞれ異ならされた、これら第１および第２の測光センサ３０１および３０２の出力を比較して、被写体の分光分布特性すなわち光源の種別を判別する。
【００３８】
図５は、代表的な各種光源の分光分布特性の例を示す。図５において、横軸は波長を示し、縦軸は、光の相対エネルギを示す。特性Ｌ１は、タングステン光であるフラッドランプの一例の分光分布特性を示す。フラッドランプは、短波長側から長波長側に向けて、エネルギが増加していく分光分布特性を有する。特性Ｌ２は、蛍光灯の一例の分光分布特性を示す。蛍光灯は、周知のように、アーク放電により水銀蒸気を発光させ、この光を蛍光体で可視光線に変換している。そのため、分光分布特性には、水銀蒸気の発光特性により光の三原色に相当する波長にエネルギのピークが存在し、ピーク以外の部分では、エネルギが極めて小さい。特性Ｌ３は、太陽光の分光分布特性を示す。太陽光の分光分布特性は、特性Ｌ１に示すタングステン光による分光分布特性に比べ、波長が６５０ｎｍ以上の長波長成分の割合が少なくなる。
【００３９】
光源検知ユニット１１６内の第１の測光センサ３０１は、フィルタ３０３により４００ｎｍ〜７５０ｎｍ程度の波長範囲の光が入射される。これに対して、第２の測光センサ３０２は、フィルタ３０３および３０４により、６００ｎｍ〜ｎｍ程度の波長範囲の光が入射される。すなわち、第１の測光センサ３０１の出力は、４００ｎｍ〜７５０ｎｍ程度の波長範囲の光のエネルギを、センサ自体の分光特性に応じて積分したものとなる。また、第２の測光センサ３０２の出力は、６００ｎｍ〜７５０ｎｍ程度の波長範囲の光のエネルギを、センサ自体の分光特性に応じて積分したものとなる。
【００４０】
タングステン光は、図５に特性Ｌ１として示されるように、波長が６００ｎｍ近傍以上の長波長側の分光成分のエネルギが、波長が６００ｎｍ近傍以下の短波長側の分光成分のエネルギに対して大きい。一方、太陽光は、図５に特性Ｌ２として示されるように、波長が６５０ｎｍを境に、タングステン光よりも短波長成分のエネルギが大きく、長波長成分のエネルギが小さい。したがって、第１の測光センサ３０１と第２の測光センサ３０２との出力差について、タングステン光と太陽光とを比較した場合、タングステン光の場合の出力差の方が、太陽光の場合の出力差よりも小さくなる。
【００４１】
なお、第１および第２の測光センサ３０１および３０２の出力差は、第１および第２の測光センサ３０１および３０２の出力の比を用いるものとする。
【００４２】
蛍光灯については、特性Ｌ２に例示されるように、波長が６００ｎｍ以上の長波長成分のエネルギがピーク波長以外では非常に小さい。そのため、蛍光灯の光の長波長成分のエネルギは、タングステン光や太陽光に比べ、顕著に小さい。また、蛍光灯では、波長が６００ｎｍを境として長波長成分と短波長成分とを比較した場合、短波長側の分光成分のエネルギが長波長側の分光成分のエネルギに対して大きい。したがって、第１および第２の測光センサ３０１および３０２の出力差が非常に大きくなる。
【００４３】
このように、光源検知ユニット１１６において、第１および第２の測光センサ３０１および３０２の出力差は、光源が蛍光灯の場合に最も大きく、次に太陽光の場合の出力差が大きく、タングステン光による出力差は、最も小さいものとなる。したがって、第１および第２の測光センサ３０１および３０２の出力差に対する閾値判断を行うことで、光源種類の判別を行うことができる。例えば、光源が蛍光灯によるものか太陽光によるものかを判別する閾値Ｔｈ１と、光源が太陽光によるものかタングステン光によるものかを判別する閾値Ｔｈ２とを設定することが考えられる。
【００４４】
図６は、本発明に適用可能なデジタルカメラ１０１の一例の構成を示す。なお、図６において、上述の図２と共通する部分には同一の符号を付し、詳細な説明を省略する。図６において、ミラーボックス２０１は、上述したメインミラー１０３とサブミラー１０４とで構成される。ミラーボックス２０１は、入射光をＡＦユニット１０５およびＡＥユニット１１１へと導く状態（図２（ａ）参照）と、メインミラー１０３およびサブミラー１０４を入射光路から退避させる状態（図２（ｂ）参照）とで切り替える。
【００４５】
入射光をＡＦユニット１０５およびＡＥユニット１１１に導く状態では、ミラーボックス２０１は、メインミラー１０３により入射光を透過光と反射光とに分割する。そして、透過光はサブミラー１０４に照射し、反射光をピント板１０９およびペンタプリズム１１０を介してＡＥユニット１１１に導く。また、サブミラー１０４に照射された光は、サブミラー１０４で反射されＡＦユニット１０５に導かれる。
【００４６】
制御手段としての撮影制御部２０２は、例えばマイクロコンピュータからなり、図示されないＲＯＭ及びＲＡＭを有し、ＲＯＭに予め記憶されたプログラムやデータに従いＲＡＭをワークメモリとして用いて、このデジタルカメラ１０１全体の動作を制御する。
【００４７】
撮影制御部２０２に対して、シャッタ駆動部２０３、ミラー駆動部２０４、絞り駆動部２０５およびレンズ駆動部２０６が接続される。また、図示は省略するが、ＡＦユニット１０５の出力とＡＥユニット１１１の出力とが撮影制御部２０２に供給される。
【００４８】
シャッタ駆動部２０３、ミラー駆動部２０４および絞り駆動部２０５は、それぞれ、撮影制御部２０２の制御に応じてシャッタ１０７、メインミラー１０３およびサブミラー１０４、ならびに、絞り１１３を駆動する。撮影制御部２０２は、図示されない操作部に対する操作により設定された各種設定値や、ＡＥユニット１１１の出力、レリーズボタン１１５に対する操作などに応じて、これらシャッタ駆動部２０３、ミラー駆動部２０４および絞り駆動部２０５の制御を行う。
【００４９】
撮影制御部２０２に対し、さらに、光源検知ユニット１１６の出力が供給される。撮影制御部２０２は、この光源検知ユニット１１６の出力と、ＡＦユニット１０５の出力とに基づきレンズ駆動部２０６を制御し、撮影レンズ１０２内の図示されないフォーカシングレンズを駆動する。
【００５０】
撮像素子１０８は、例えばＣＭＯＳイメージセンサからなり、撮影制御部２０２の制御により図示されないクロック発生部で発生されたクロックに従い、ローリング電子シャッタ方式により電荷が読み出される。すなわち、撮像素子１０８において、画面の左上隅の画素から、画素単位で水平方向に１ラインの電荷の読み出しがなされ、さらに垂直方向に上から下に向けてライン毎の電荷の読み出しがなされる。読み出された電荷は、電気信号に変換され、撮像信号として出力される。この撮像信号は、Ａ／Ｄ変換器２０７によりデジタル信号に変換される。撮像素子１０８および撮影制御部２０２により読み出し手段が構成される。
【００５１】
信号処理部２０８は、図示されないメモリを用い、Ａ／Ｄ変換器２０７でデジタル信号に変換された撮像信号に対して信号処理を施し、輝度信号および色信号を形成する。このときホワイトバランス処理手段としての信号処理部２０８は、撮像信号に基づきホワイトバランス処理を行い、その結果得られた信号から輝度信号および色信号を形成する。また、ホワイトバランス処理の結果を示す情報は、撮影制御部２０２に渡される。
【００５２】
なお、ホワイトバランス処理は、以下の方法で行うことができる。すなわち、撮像信号からＲ（赤色）、Ｇ（緑色）およびＢ（青色）信号を形成し、これらＲ、ＧおよびＢ信号をそれぞれ撮像素子１０８の１画面で積分する。そして、Ｒ、ＧおよびＢ信号が１画面分で積分されたレベルを比較し、比較結果に基づき、Ｒ、ＧおよびＢ信号のレベルが互いに等しくなるように、ＲおよびＢ信号のゲインを調整し、Ｒ、ＧおよびＢ信号のレベルのバランスを補正する。ホワイトバランス処理によるＲ、ＧおよびＢ信号のレベルのバランスの補正量を示す情報として、ＲおよびＢ信号のゲイン調整値を用いることができる。
【００５３】
表示部２０９は、信号処理部２０８から出力された映像データや画像データをディスプレイユニット１１８に表示可能な形式の信号に変換する。そして、表示部２０９は、この変換された信号によりディスプレイユニット１１８を駆動し、ディスプレイユニット１１８に対して映像や画像を表示させる。
【００５４】
記録部２１０は、撮影に伴い信号処理部２０８から出力された画像データを記録媒体に記録する。記録媒体としては、書き換え可能な不揮発性メモリを適用することができる。また、記録部２１０は、画像データに対して所定の圧縮符号化方式を用いて圧縮符号化を行い、圧縮符号化された画像データを記録媒体に記録することができる。
【００５５】
このような構成において、例えば、撮影者によりライブビュー開始／終了ボタン１１７が操作されると、撮影制御部２０２は、デジタルカメラ１０１の各部を制御し、デジタルカメラ１０１の動作モードをライブビューモードに移行させる。ライブビューモードにおいて、撮影制御部２０２は、図２（ｂ）に例示されるように、メインミラー１０３およびサブミラー１０４を入射光路から退避させるようにミラー駆動部２０４を制御する。それとと共に、撮影制御部２０２は、シャッタ１０７を開状態とするようにシャッタ駆動部２０３を制御する。
【００５６】
被写体からの光は、撮影レンズ１０２、絞り１１３およびシャッタ１０７を介して撮像素子１０８に照射される。撮像素子１０８は、照射された光を光電変換により電荷に変換し、ローリング電子シャッタにより電荷を画素単位およびライン毎に読み出し、撮像信号として出力する。なお、撮像信号は、フレーム単位すなわち撮像素子１０８の１画面を単位として所定のフレームレートで連続的に読み出され、動画像すなわち映像信号として出力される。以下、ライブビューモードにおいて撮像素子１０８から出力される撮像信号は、映像信号であるものとして説明を行う。
【００５７】
撮像素子１０８から出力された映像信号は、Ａ／Ｄ変換器２０７によりデジタル信号に変換されて信号処理部２０８に供給される。信号処理部２０８は、供給された映像信号に対して信号処理を施して輝度信号や色信号を形成し、カラー映像信号を生成する。また、信号処理部２０８は、映像信号からＲ、ＧおよびＢ信号を形成し、これらＲ、Ｇ、およびＢ信号に基づきホワイトバランス処理を行う。ホワイトバランス処理の処理結果は、信号処理部２０８から撮影制御部２０２に渡される。
【００５８】
信号処理部２０８から出力されたカラー映像信号は、表示部２０９および記録部２１０に供給される。表示部２０９は、供給されたカラー映像信号をディスプレイユニット１１８に表示可能な形式の信号に変換してディスプレイユニット１１８に供給する。
【００５９】
さらに、信号処理部２０８で形成された輝度信号が撮影制御部２０２に渡される。測定手段としての撮影制御部２０２は、この輝度信号に基づき被写体の測光演算を行い、所謂撮像面ＡＥの動作を行う。すなわち、撮像面ＡＥにより、被写体からの光の光量が測定される。この撮像面ＡＥについては、公知の技術であるため、ここでの詳細な説明を省略する。撮影制御部２０２は、撮像面ＡＥの演算結果に基づき露光時の絞り値、シャッタスピードを決定し、シャッタ駆動部２０３および絞り駆動部２０５を制御する。
【００６０】
さらにまた、撮影制御部２０２は、撮影レンズ１０２内にある図示されないフォーカシングレンズを駆動しつつ、信号処理部２０８で得られた映像信号のコントラストを連続的に演算することで、所謂コントラスト検出方式によるＡＦ処理も行う。このコントラスト検出方式によるＡＦ処理については、公知の技術であると共に本発明と関わりが薄いため、説明を省略する。撮影制御部２０２は、このコントラスト検出方式によるＡＦ処理の結果に基づきフォーカシングレンズの位置を決定し、決定された位置にフォーカシングレンズを移動するように、レンズ駆動部２０６を制御する。
【００６１】
光源検知ユニット１１６の出力が撮影制御部２０２に供給される。撮影制御部２０２は、この光源検知ユニット１１６の出力に基づき、上述したようにして光源の種類を判別する。
【００６２】
図７は、本実施形態におけるライブビューモードでの一例の動作を示すフローチャートである。ライブビュー開始／終了ボタン１１７が操作され、ライブビューモードが起動されると、ステップＳ１０で、撮影制御部２０２により、撮像面ＡＥを用いて被写体の測光が行われ、被写体からの光の光量が測定される。
【００６３】
次のステップＳ１１で、撮影制御部２０２により、ステップＳ１０の測定結果に対する閾値判断が行われる。すなわち、ライブビューモードでは、被写体が蛍光灯照明下であれば、フリッカ消去モードを実行してラインフリッカの抑制処理を行う必要がある。ここで、一般的に、蛍光灯は直視してもＥｖ(Exposure Value)が１４程度の明るさであるため、被写体が極度に明るければ主たる光源が蛍光灯ではないと考えることができ、この場合にはフリッカ検知を行う必要が無い。そこで、測定結果に対して閾値判断を行い、被写体の明るさが閾値を越えるときには、フリッカ検知を行わないようにする。例えば、上述のＥｖ＝１４を閾値として用いることができる。ステップＳ１０による測定の結果得られた明るさが閾値を越えていると判断された場合は、処理は後述するステップＳ１５に移行される。
【００６４】
一方、ステップＳ１１で、ステップＳ１０による測定の結果得られた明るさが閾値以下であると判断された場合には、処理はステップＳ１２に移行される。ステップＳ１２では、フリッカ検知手段としての撮影制御部２０２によりフリッカ検知機能が起動され、撮像信号中のフリッカの検知が行われる。なお、フリッカ検知機能による動作の詳細については、後述する。
【００６５】
処理はステップＳ１３に移行され、撮影制御部２０２により、ステップＳ１２で起動されたフリッカ検知動作の結果に基づき、表示部２０９に表示するための映像信号中においてラインフリッカが発生しているか否かが判断される。若し、ラインフリッカが発生していないと判断されれば、処理はステップＳ１４に移行される。ステップＳ１４では、撮影制御部２０２は、ライブビューモードを、フリッカ抑制を行わない通常モードで実行する。
【００６６】
次のステップＳ１５で、光源変化検知手段としての撮影制御部２０２により、光源に変化があるか否かが判断される。すなわち、ライブビューモード実行中に被写体の照明環境が「蛍光灯以外のものから蛍光灯に変化」、若しくは、「蛍光灯から蛍光灯以外のものに変化」した場合には、再度フリッカ検知機能を起動させて、ラインフリッカの有無を確認し直すのが望ましい。そこで、このステップＳ１５では、光源の変化の有無を検知し、光源の変化が検知されたら処理をステップＳ１２に戻して、再び、フリッカ検知機能を起動させる。
【００６７】
本実施形態では、光源の変化を検知する方法として、以下の３つの方法を用いる。第１の方法は、撮像面ＡＥの測定結果を用いる方法である。すなわち、ライブビューモード動作中において、撮像面ＡＥによる測定結果の変化量が予め設定された所定量以上である場合、光源が変化したと考えることができる。一例として、屋内での撮影から屋外での撮影に移行したり、またはその逆など、撮影シーンが変化した場合に、この変化に伴い光源が変化することが考えられる。
【００６８】
第２の方法は、ホワイトバランス処理の結果を用いる方法である。すなわち、ライブビューモード動作中において、ホワイトバランス処理結果の変化量が予め設定された所定量以上となった場合に、光源が変化したと考えることができる。一例として、ホワイトバランス処理によるＲ信号およびＢ信号それぞれに対するゲイン調整値の比を、閾値と比較することが考えられる。
【００６９】
第３の方法は、光源検知ユニット１１６の出力結果を用いる方法である。上述したように、光源検知ユニット１１６では、被写体の光源の種別を判別できる。そのため、ライブビューモード動作中に光源検知ユニット１１６の出力の変化量が予め設定された閾値以上となった場合に、光源が変化したと考えることができる。
【００７０】
本実施形態では、ステップＳ１５における光源の変化の検知を、撮像面ＡＥの測定結果の変化量、ホワイトバランス処理結果の変化量および光源検知ユニット１１６の出力結果の変化量を用いて行う。すなわち、本実施形態では、これらの変化量のうち何れか１つが、それぞれに対して設定された所定量以上であったときに、光源が変化したと判断することで行う。これに限らず、撮像面ＡＥの測定結果、ホワイトバランス処理結果および光源検知ユニット１１６の出力結果を組み合わせて光源が変化したか否かを判断し、光源の変化の検知を行ってもよい。
【００７１】
上述した、ステップＳ１５で光源の変化が検知されなければ、処理はステップＳ１６に移行され、撮影制御部２０２によりライブビューモードが終了したか否かが判断される。若し、ライブビュー開始／終了ボタン１１７が操作されていなければ、ライブビューモードが終了していないと判断され、処理はステップＳ１５に戻され、光源の変化の検知が行われる。一方、ライブビュー開始／終了ボタン１１７が操作された場合には、撮影制御部２０２によりライブビューモードが終了され、この図７のフローチャートにおける一連の処理が終了される。
【００７２】
上述のステップＳ１３で、ラインフリッカが発生していると判断されれば、処理はステップＳ１７に移行される。ステップＳ１７では、ラインフリッカの周期を検知する処理が行われる。このラインフリッカ周期の検知処理の具体例については、後述する。ステップＳ１７でラインフリッカの周期が検知されたら、処理はステップＳ１８に移行される。
【００７３】
ステップＳ１８では、フリッカ抑制手段としての撮影制御部２０２は、ライブビューモードを、ラインフリッカを抑制するように制御するフリッカ消去モードで実行する。具体的には、撮像素子における電荷の蓄積時間をフリッカ周期の整数倍になるように制御すれば、フリッカに基づく電荷の蓄積量がライン毎に揃うので、ラインフリッカが抑制される。
【００７４】
例えば、商用電源の周波数が５０Ｈｚの場合には、蛍光灯の発光周波数が１００Ｈｚであってフリッカ周波数も１００Ｈｚとなるので、蓄積時間を１０ｍｓｅｃの整数倍に制御する。また例えば、商用電源の周波数が６０Ｈｚの場合には、蛍光灯の発光周波数が１２０Ｈｚであってフリッカ周波数も１２０Ｈｚとなるので、蓄積時間を８．３３・・・ｍｓｅｃ（＝１０００／１２０ｍｓｅｃ）の整数倍に制御する。
【００７５】
処理はステップＳ１９に移行され、上述したステップＳ１５と同様にして、撮影制御部２０２により、光源の変化の検知が行われる。若し、光源の変化が検知されたら、処理はステップＳ１２に戻され、撮影制御部２０２により再びフリッカ検知動作が起動される。このフリッカ検知動作の結果、ラインフリッカが検知されなければ（ステップＳ１３）、処理はステップＳ１４に移行される。そして、撮影制御部２０２により、先のステップＳ１８で実行されたフリッカ消去モードによる動作が停止され、ライブビューモードが、フリッカ抑制を行わない通常モードで実行される。
【００７６】
一方、ステップＳ１９で光源の変化が検知されなければ、処理はステップＳ２０に移行され、上述のステップＳ１６と同様にしてライブビューモードが終了したか否かが判断される。そして、ライブビューモードが終了していないと判断されれば、処理はステップＳ１９に戻され、光源の変化の検知が行われる。一方、ライブビューモードが終了したと判断されれば、図７のフローチャートによる一連の処理が終了される。
【００７７】
上述のように、本実施形態では、ライブビューモードにおいて、表示部２０９に表示される映像にラインフリッカが発生しているか否かに関わらず光源の変化の検知が行われる。そして、光源の変化が検知されると、フリッカ検知機能を起動させ、表示部２０９に表示される映像にラインフリッカが発生しているか否かを検知するようにしている。そのため、光源の変化に対して適応的にフリッカ消去モードを起動させることができる。
【００７８】
次に、上述したステップＳ１２で起動されるフリッカ検知動作について説明する。図７のフローチャートにおけるステップＳ１２、ステップＳ１３およびステップＳ１７では、以下に説明するようにして、撮像信号中のラインフリッカの発生の有無、ラインフリッカの周期を求める。
【００７９】
図８は、ラインフリッカの発生原理を説明するための図である。図８において、蛍光灯の発光周期と、撮像素子１０８における各ラインの信号と、ディスプレイユニット１１８の表示画面４００における一例の表示との関係が示されている。なお、上述したように、本実施形態では、撮像素子１０８としてＣＭＯＳイメージセンサを用いている。
【００８０】
図８に例示されるように、蛍光灯の光量がある周期で変動すると共に、撮像素子１０８において電荷の蓄積タイミングが１ライン毎に順次変化していく。この場合、各ラインにおいて電荷を蓄積したタイミングでの蛍光灯の光量に応じて撮像素子１０８から読み出された撮像信号が変動し、表示画面４００に対し、図８の左側に例示されるような、ラインフリッカによる縞模様が発生する。この縞の間隔は、蛍光灯の発光周期に対応するため、この縞の間隔を計算することで、ラインフリッカの周期を求めることができる。具体的には、表示画面４００に表示される画像信号のライン方向の射影（水平射影と呼ぶ）を取り、周期を算出すればよい。
【００８１】
ここで、実際に被写体を撮影した場合には、画面内に多種の反射率が存在するため、画像信号の水平射影も、被写体の反射率の影響を受けたものとなる。つまり、画像信号の水平射影は、蛍光灯の発光周期すなわちラインに応じて変化する光量に、被写体のライン毎に対応する反射率を乗じたものとなる。
【００８２】
ここで、図９（ａ）および図９（ｂ）に例示されるような、被写体が同一であり、ラインフリッカによる縞模様の位相が互いに１８０°ずれた２枚の画像Ａと画像Ｂとを考える。画像ＡおよびＢのそれぞれについて、画像信号の水平射影ＡｈおよびＢｈを演算し、これら水平射影ＡｈおよびＢｈについて比Ａｈ／Ｂｈを求める。被写体の反射率による成分は、水平射影ＡｈおよびＢｈにおける比の値が１となるので、被写体の反射率の影響を取り除きフリッカ成分のみを取り出した信号を得ることができる。
【００８３】
例えば、信号処理部２０８のメモリに、撮像素子１０８からの映像信号の輝度成分による画像信号を展開し、信号処理部２０８が、水平射影ＡｈおよびＢｈに関する演算を行うことが考えられる。これに限らず、信号処理部２０８から撮影制御部２０２に対してこの輝度成分による画像信号を転送し、撮影制御部２０２がこの画像信号をＲＡＭに展開して、水平射影ＡｈおよびＢｈに関する演算を行うようにしてもよい。さらに、表示部２０９が有する図示されないビデオメモリを用いて、水平射影ＡｈおよびＢｈに関する演算を行うこともできる。
【００８４】
ここで、商用電源の周波数は、５０Ｈｚまたは６０Ｈｚである。撮像素子１０８での読み出しを、例えば４５ｍｓｅｃ周期、すなわち２２．２２・・・ｆｐｓといったフレームレートで撮像素子１０８での読み出しを行う。こうすることで、５０Ｈｚおよび６０Ｈｚの何方の周波数であっても、連続的に読み出された２枚の画面において、ラインフリッカによる縞模様の位相が略１８０°ずれることになる。
【００８５】
商用電源の周波数が５０Ｈｚの場合、電源の周期は２０ｍｓｅｃであり、蛍光灯の発光周期は、この１／２で１０ｍｓｅｃとなる。したがって、蛍光灯の発光周期に対して半周期ずれた信号が欲しければ、ｎを整数として、例えば１０ｍｓｅｃ×ｎ＋１０／２ｍｓｅｃだけ後のタイミングで、撮像素子１０８での読み出しを行えばよい。また、商用電源の周波数が６０Ｈｚの場合、電源の周期は１６．６６・・・ｍｓｅｃ（＝１０００／６０ｍｓｅｃ）であり、蛍光灯の発光周期は、この１／２で８．３３・・・ｍｓｅｃ（＝１０００／１２０ｍｓｅｃ）となる。したがって、蛍光灯の発光周期に対して半周期ずれた信号が欲しければ、ｍを整数として、例えば８．３３・・・ｍｓｅｃ×ｍ＋８．３３・・・／２ｍｓｅｃだけ後のタイミングで、撮像素子１０８での読み出しを行えばよい。
【００８６】
例えば、ｎ＝４、ｍ＝５とすることで、電源の周波数が５０Ｈｚの場合には、１画面分の読み出しを行った後、４５ｍｓｅｃ後に次の読み出しが行われ、ラインフリッカによる縞模様が互いに１８０°ずれた２枚の画面を得ることができる。また、電源の周波数が６０Ｈｚの場合には、１画面分の読み出しを行ったＡと、４５．８３３・・・ｍｓｅｃ後に次の読み出しが行われ、ラインフリッカによる縞模様が互いに略１８０°ずれた２枚の画面を得ることができる。
【００８７】
図１０を用いて、ラインフリッカの有無を判断する処理について説明する。図１０（ａ）は、上述のようにして、ラインフリッカによる縞模様が１８０°ずれた画像Ａおよび画像Ｂの水平射影ＡｈおよびＢｈから算出した、Ａｈ／Ｂｈによる一例の波形を示す。図１０（ａ）において、横軸はライン数であり、例えば表示画面４００の上端からのライン数である。横軸は、１水平ラインの走査時間との積を取れば、時間となる。また、縦軸は、例えば輝度値である。
【００８８】
図１０（ａ）の例では、波形の振幅が所定量よりも大きければ、ラインフリッカが発生していると判断することができる。実際には、画面内の照度ムラなどにより、誤検出してしまう可能性がある。そこで、図１０（ａ）に例示するように、波形に対してウィンドウ＃１およびウィンドウ＃２というように、観察領域を決めるウィンドウを２つ設定し、これらウィンドウ＃１およびウィンドウ＃２内の波形について、自己相関を計算する。そして、図１０（ｂ）に例示されるように、自己相関の計算結果による波形を得る。図１０（ｂ）において、横軸がライン数若しくは時間、縦軸が相関値である。
【００８９】
なお、ここでは、自己相関の計算を、ウィンドウ＃１の波形に対してウィンドウ＃２の波形をずらしてくことで計算するものとする。また、ウィンドウ＃１の波形のピークと、ウィンドウ＃２の波形のピークとが重なった場合を相関値が１００とし、ウィンドウ＃１の波形のピークと、ウィンドウ＃２の波形のボトムとが重なった場合を相関値が０とする。
【００９０】
図１０（ｂ）の自己相関の計算結果による波形の周期がラインフリッカの周期となる。また、ラインフリッカが発生してない場合には、この図１０（ｂ）の波形の振幅が小さくなるため、この波形の相関値に対して閾値を設定し、閾値判定を行うことでラインフリッカの発生の有無を判断することができる。一例として、第１の閾値と、第１の閾値より値が小さい第２の閾値とを設定し、波形のピークの値が第１の閾値よりも大きいか、或いは、波形のボトムの値が第２の閾値よりも小さいときに、ラインフリッカが発生していると判断する。これに限らず、波形のピークのみ、波形のボトムのみを用いてラインフリッカの発生の有無を判定することも考えられる。
【００９１】
このラインフリッカの有無の判断についても、上述の水平射影ＡｈおよびＢｈに関する処理と同様に、撮影制御部２０２や信号処理部２０８が、信号処理部２０８のメモリや撮影制御部２０２のＲＡＭなどを用いて、自己相関の計算など行うようにできる。
【００９２】
なお、上述では、本発明が静止画像の撮影を主とするデジタルカメラに適用されるように説明したが、これはこの例に限定されず、本発明を動画像の撮影を主とするデジタルビデオカメラに適用させてもよい。
【００９３】
また、上述では、本発明に適用される撮像素子が、ローリング電子シャッタを用い、１ライン毎に画素を順次リセットして電荷を蓄積し、その１ライン毎に画素から順次電荷を読み出す、ＣＭＯＳイメージセンサであるものとして説明した。これはこの例に限定されず、グローバル電子シャッタを用い、電荷の蓄積時間の開始、終了をそれぞれ全画素で同一タイミングで行う、ＣＣＤといった撮像素子を、本発明に適用させることもできる。
【００９４】
ＣＣＤを撮像素子として用いる場合には、フレームタイミングで撮像素子から読み出された撮像信号について、フレーム毎に輝度値を積分し、フレーム間でこの輝度値を比較することで、フリッカ検知を行うことが考えられる。
【図面の簡単な説明】
【００９５】
【図１】チョークコイルを用いた蛍光灯の発光について説明するための略線図である。
【図２】本発明に適用可能なデジタル一眼レフレックスカメラの一例の断面図である。
【図３】光源検知ユニットの一例の構成を示す略線図である。
【図４】第１および第２の測光センサの一例の分光感度特性(i)と、２枚のフィルタの分光透過特性(ii)および(iii)の例を示す略線図である。
【図５】代表的な各種光源の分光分布特性の例を示す略線図である。
【図６】本発明に適用可能なデジタルカメラの一例の構成を示すブロック図である。
【図７】本実施形態におけるライブビューモードでの一例の動作を示すフローチャートである。
【図８】ラインフリッカの発生原理を説明するための略線図である。
【図９】ラインフリッカの検知方法を説明するための略線図である。
【図１０】ラインフリッカの有無を判断する処理について説明するための略線図である。
【符号の説明】
【００９６】
１０１  デジタルカメラ
１０２  撮影レンズ
１０３  メインミラー
１１１  ＡＥユニット
１１６  光源検知ユニット
１１７  ライブビュー開始／終了ボタン
１１８  ディプレイユニット
２０２  撮影制御部
２０８  信号処理部
２０９  表示部
【図１】
2009213076.tif 000003
【図２】
2009213076.tif 000004
【図３】
2009213076.tif 000005
【図４】
2009213076.tif 000006
【図６】
2009213076.tif 000007
【図７】
2009213076.tif 000008
【図１０】
2009213076.tif 000009
【図５】
2009213076.tif 000010
【図８】
2009213076.tif 000011
【図９】
2009213076.tif 000012